(57)【要約】【課題】  本発明者は、日本拳法、逮捕術、空手等の徒手格闘技用の武道用防具に関するもので、詳しくは鉄鋼製の金属棒やプラスチック板材料などの硬質材料で構成された頭部保護用面防具を打撃するための武道用グローブに関するもので、従来の武道用グローブと比べて安全、保護効果が持続、脱着が容易なものを提供することを課題とする。【課題手段】  武道用グローブの固定用紐通し孔部を、手の中指を通る中心線を挟んで小指よりに設置、さらに好ましくは手相の生命線上に設置することを特徴とする。【選択図】  図１
2008086593.tif 000002
【特許請求の範囲】
【請求項１】
日本拳法、逮捕術、空手などの徒手格闘技用の練習及び試合に使用するための日本拳法、逮捕術、空手などの徒手格闘技用の練習及び試合に使用し、かつ打撃の衝撃を吸収するためのクッション部材を有する手を保護するための武道用グローブであって、当該グローブの親指部をグローブの手掌部に設置することを特徴とする武道用グローブ。
【請求項２】
前記、武道用グローブを手に緊迫固定するための紐通し部が母指丘部を圧迫しない位置、好ましくは、手掌部母指丘端部よりも小指側に設置することを特徴とする請求項１に記載の武道用グローブ。
【請求項３】
前記、紐通し部と親指以外の四指の付け根との間の空間に、クッション部材を調節可能に挿入することが可能な挿入口を設置したことを特徴とする請求項１又は２に記載の武道用グローブ。
【発明の詳細な説明】
【技術分野】
【０００１】
本発明は日本拳法、逮捕術、空手等の徒手格闘技用の武道用防具に関するもので、詳しくは鉄鋼、ステンレス、チタンなどの金属製の棒材料やプラスチック板材料などの硬質材料で構成された頭部保護用面防具及び胴部保護用防具を打撃するための武道用グローブに関するものである。
【背景技術】
【０００２】
従来から使用されている日本拳法や逮捕術などの武道で使用されている面防具は、特に安全が必要な頭部を保護するものであり、金属棒で強固に構成された保護構造部材とその内側に木綿布袋に木綿綿を封入した衝撃吸収効果の低いクッション部材を固定したものである（非特許文献１〜４）。特に最近の製品としては、早川繊維工業製（九櫻）Ｒ２０８型日本拳法面、あるいは早川繊維工業（九櫻）Ｒ３００ＭＳＷ型日本拳法面などがある。
【０００３】
この面防具を打撃するために使用される日本拳法や逮捕術用の武道用グローブは、強固な保護構造部材を打撃する際に当該保護構造部材から伝わる集中荷重から手指を保護するために手の関節と手背部分へクッションシートなどを使用した早川繊維工業（九櫻）Ｒ２００Ｋ型拳法グローブなどが開発されている。
【０００４】
当該武道用グローブを使用する際、握った手の指根節部で打撃する場合には、瞬間的に手指を握り締めて固定化し、正しい拳を形成することが必要である。特に日本拳法では親指末節骨を握り締めた人差し指の中節骨上に置き、拳を形成することが必要である。
【０００５】
ところが、従来から使用されている当該武道用グローブは、親指部がグローブの側面に設置されているため、手を握り締めると母指丘が手掌部の位置で盛り上がるために当該親指部はグローブ手甲部から引っ張られ、さらに母指丘部がグローブ手掌部に圧迫されることによって正しい拳を形成することが困難となっていた。
【０００６】
また、当該従来の武道用グローブの親指部は手掌部と平行に取り付けられているため、親指を曲げる際に人差し指方向に曲げ難くなっている。また、手掌部に水平な握り棒部（図３に図示している握り棒部２４）を設置し、不完全な握り状態でも手指を固定できるようにしていた。しかし、この握り棒部をつかんだ状態であっても、親指末節骨を人差し指と中指の中指骨上に親指を乗せる事ができず、結果的として前記の正しい拳を形成し難い状況となっていた。
【０００７】
この状態で強固な保護構造部材を有する面防具を打撃した場合、不完全に開いた親指の先端や他の四指が、不用意に保護構造部材に集中して当たることとなり、これらの指を負傷する可能性が生じていた。
【０００８】
そこで、簡易的にこの不具合を解消するため、バンテージと称する布等の帯を、手指を中心として巻き付けて固定し、拳を固定化することを行っていた。しかし、このバンテージは手指を圧迫し、さらに通気性等の観点から長期連続使用に耐えることができず、結果的に拳を痛めることになっていた。
【０００９】
その他、関連の徒手格闘用の防具としては、例えば「ボクシング用グローブ」（特許文献１）、「ボクシンググローブ」（特許文献２）、「逮捕術用防具」（特許文献３）などが開示されている。
【００１０】
しかし、これらの武道用防具は、使用者に対する打撃時の衝撃を緩和し、訓練時の擦傷の発生を防止し、且つ軽量で使用者への負担の少ない防具を提供する目的で製造されているにもかかわらず、上記の不具合を解消するための構造上の工夫が何ら成されていない状況であった。
【００１１】
【特許文献１】特開昭６０−１６８４７５号
【特許文献２】実用新案登録第３０００４６７号
【特許文献３】実用新案登録第３０６６５９３号
【非特許文献１】「日本拳法」澤山宗海著  毎日新聞社刊
【非特許文献２】「拳法教程」森良之祐著  原書房刊
【非特許文献３】「日本拳法教範Ｉ」石黒邦男著  圭文社刊
【非特許文献４】「絵説日本拳法」桟原富士男著  櫂歌書房刊
【発明の開示】
【発明が解決しようとする課題】
【００１２】
このような状況を鑑み、本発明者は、日本拳法、逮捕術、空手等の徒手格闘技用の武道用防具に関するもので、詳しくは金属製の棒材料やプラスチック板材料などの硬質材料で構成された頭部保護用面防具を打撃する武道用グローブに関するもので、従来の武道用グローブと比べて親指部の屈曲を容易にし、さらに安全性の高い武道用グローブを提供することを課題とする。
【課題を解決するための手段】
【００１３】
本発明は、このような課題を解決するために、日本拳法、逮捕術、空手などの徒手格闘技用の練習及び試合に使用し、かつ打撃の衝撃を吸収するためのクッション部材を有する手を保護するための武道用グローブでとして成されたもので、武道用グローブに係る請求項１に記載の発明は、当該グローブの親指部１１をグローブの手掌部に設置することを特徴とする。
【００１４】
当該武道用グローブ如く、グローブの親指部１１をグローブの手掌部に設置することによって、人差し指と中指方向に親指が曲がり易くなり、拳を正しく形成することが可能となった。
【００１５】
さらに、請求項２に記載の発明は、当該武道用グローブを手に緊迫固定するための紐通し部１２が母指丘部を圧迫しない位置に設置する事を特徴とする。
【００１６】
当該武道用グローブの構造にすることにより、当該武道用グローブを手に緊迫固定するための紐通し部１２によって手に固定する際、親指が紐の緊迫の際に不用意にグローブの手甲部に引っ張られるという、従来技術による不具合を解消することが可能となった。
【００１７】
特に、強固な鋼線で構成される日本拳法用の面防具を直接打撃するような武道用グローブの場合、当該面防具に直接当たる拳を強固に握り締める必要がある。そのため、グローブを手に緊迫固定するための紐通し部１２を、母指丘部を圧迫しない位置に設置する事よって、紐を強固に締めた場合であっても、拳を握り締めた際、母指丘を当該紐通し部１２が圧迫する事が無くなり、手の筋力負担を増加する事無く拳を握り締めることが可能になった。
【００１８】
さらに、当該紐通し部１２による圧迫を軽減するためには、前記、紐通し部１２を手掌部の母指丘よりも小指側の位置に設置することが好ましい。
【００１９】
なお、母指丘から小指側であっても、小指の直下部には設置しないほうが好ましい。それは、拳法の技の一つである手刀を実施した場合、当該紐通し部１２が面防具と直接接触し、紐が切断される等の不具合が生じるためである。
【００２０】
特に、紐通し部１２を母指丘端部に配置した場合はさらに拳が握りやすくなる。
【００２１】
さらに、請求項３に記載の発明は前記、前記、紐通し部１２と親指以外の四指の付け根との間の空間に、クッション部材を調節可能に挿入することが可能な挿入口１３を設置したことを特徴とする。
【００２２】
この様に、前記、紐通し部１２と親指以外の四指の付け根との間の空間に、クッション部材を調節可能に挿入することが可能な挿入口１３を設置した場合、握り拳を形成する際に余分な抵抗を感じる場合は、クッション部材を低減し、空間の余裕がある場合は、所定の量のクッション部材を挿入し、さらに拳を握りやすくすることが可能になる。
【発明の効果】
【００２３】
以上のように本発明は、グローブを手に固定するための紐通し部を、母指丘端部に設置することによって、紐を強固に締めた場合であっても、拳を握り締めた際、母指丘が当該紐通し部に接触することがなく、抵抗なく拳を握り締めることが可能になり、面防具を打撃した際の手指の負傷が軽減されるという効果が発揮される。
【００２４】
さらに、本発明のグローブを使用すると拳を強固に固定して握り締めることができるため、従来のグローブの装着時にグローブとセットで使用していたバンテージなどの手指固定用補助部材を使用せずに済むという効果が生じる。
【００２５】
これによって、手指に感じる不用意な圧迫感が解消され、過酷な使用条件下にあっても継続してグローブを装着することが出来るとともに、グローブの脱着を速やかに行うことができる効果が発揮される。
【００２６】
さらに、不要な用具の使用を軽減できることから、グローブ装着時の手とグローブの総重量を軽くすることができ、技のスピードアップを図ることができるという効果が生じる。
【００２７】
さらに、グローブ自身の特に手の平側の不用な構造部品を省略することができることによって、手指の開平運動が速やかにできる上、握り締めた際の握力を増加させることができる。その結果、掴み技や投げ技の実施など、技の種類が増加するという効果が生じることとなる。
【発明を実施するための最良の形態】
【００２８】
本発明の実施形態は日本拳法、逮捕術、空手等の徒手格闘技用の武道用防具に関するもので、詳しくは鉄鋼製の金属棒やプラスチック板材料などの硬質材料で構成された頭部保護用面防具を打撃するための武道用グローブとして実施されるものである。
【００２９】
特に、面防具の保護構造部材が金属鋼線で構成されている日本拳法および逮捕術の競技用の防具としての武道用グローブに関して実施される。
【実施例】
【００３０】
以下、具体的に図面に従って本発明からなる武道用防具について説明する。
【００３１】
（実施例１）
本実施例は、日本拳法用のグローブである。図１に概要を示す。
【００３２】
クッション部材として、１ｃｍ厚の（株）イノアックコーポレーション製の高密度ポリウレタンスポンジをグローブ内部の最外殻部分に設置して、その下部、即ち手に直接接触する部分に１ｃｍ幅で２ｍｍ厚のイノアックコーポレーション製の高密度ポリウレタン製の帯を軟質クッション材として設置し多層層構造とした。
【００３３】
さらに、親指部１１を手掌部に、紐通し部１２を母指丘端部にそれぞれ配置した。また、手掌部の紐通し部１２と親指以外の四指の付け根との間の空間に、クッション部材を調節可能に挿入することが可能な挿入口１３を設置した。
【００３４】
実際に当該グローブを装着して徳島大学日本拳法部員と同部ＯＢの十数人が日本拳法の
防具練習を行った結果、従来のグローブと比べて握り易くなり手の痛みや衝撃を感じる度合いが格段に小さいという分析結果を得ることができた。日本拳法修練期間が２ヶ月以下の部員も防具練習に使用したが、感じる衝撃が格段に小さくなり安全に、さらに長時間の練習が可能であるとの評価があった。
【産業上の利用可能性】
【００３５】
本発明は、武道用防具の内、安全なグローブを提供するために成されたものであるが、武道用グローブに限定されず、過酷作業用の安全保護グローブ全体に応用することが可能である。
【図面の簡単な説明】
【００３６】
【図１】一実施例としてのグローブ
【図２】一実施例としてのグローブ
【図３】従来例としてのグローブ
【図４】従来例としてのグローブ
【符号の説明】
【００３７】
１１．親指部
１２．紐通し部
１３．挿入口
２４．握り棒部
【図１】
2008086593.tif 000003
【図２】
2008086593.tif 000004
【図３】
2008086593.tif 000005
【図４】
2008086593.tif 000006